(57)【要約】【課題】発射された遊技球の安定した球飛びを実現すると共に、廃棄時やリサイクル時の環境適性も向上させることのできる遊技機用の透明板ユニット及び接着用シール部材を提供すること。【解決手段】このガラスユニット１１は、平板状のガラス１０と保持部材８とがシール１３によって固定され、シール１３は、保持枠接着部１３ｄに形成された位置決め孔１３ｅと切欠き部１３ｇとを有し、保持部材８は、保持枠８ａと位置決めボス８ｅと指穴８ｆとを有し、指穴８ｆが切欠き部１３ｇより大型形状とされることにより、切欠き部１３ｇの一部が保持枠８ａに接着されない非接着部１３ｈを構成する。【選択図】図５
2011182838.tif 000002
【特許請求の範囲】
【請求項１】
遊技盤を視認可能とするために遊技機の前面開口に嵌め込まれる平板状の透明板と、その透明板を保持する保持枠を備えた保持部材とが接着用シール部材によって固定された透明板ユニットであって、
前記接着用シール部材は、
前記透明板に接着される透明板接着部と、
前記保持枠に接着される保持枠接着部と、
前記保持枠接着部に形成された位置決め部と、
前記保持枠接着部に形成された切欠き部と、を有し、
前記保持部材は、
前記透明板の周囲を保持する前記保持枠と、
該保持枠内部に前記透明板を嵌入する中央開口と、
前記位置決め部に対応して前記保持枠に形成された位置決め凸部と、
前記切欠き部に対応して前記保持枠に形成された凹部と、を有し、
前記凹部が前記切欠き部より大型形状とされることにより、前記接着用シール部材を該保持枠に接着した際に前記切欠き部の一部が前記凹部内に突出して前記保持枠に接着されない非接着部を構成する透明板ユニット。
【請求項２】
前記保持枠の前後から該保持枠を挟み込むように２つの前記透明板が嵌入され、
該２つの透明板と該１つの保持枠とが１対の前記接着用シール部材により各々固定され、かつ、
該１対の接着用シール部材の各切欠き部が、前記凹部近傍において各々前記保持枠に接着されない前記非接着部を構成する請求項１に記載の透明板ユニット。
【請求項３】
前記凹部内に、前記保持枠を外周面側から内周面側に貫通する貫通孔が形成されている請求項２に記載の透明板ユニット。
【請求項４】
前記保持枠に、前記保持枠接着部に対応するザグリ面が形成され、かつ、
そのザグリ面のザグリ深さ寸法が、前記接着用シール部材の厚さ寸法及び前記位置決め凸部の突出高さ寸法のうちいずれか大きい方の寸法以上とされている請求項１から請求項３のうちいずれか１項に記載の透明板ユニット。
【請求項５】
前記遊技球の流下による遊技を実現する遊技領域が設けられた前記遊技盤と、
該遊技盤を内包するように保持する遊技機枠と、
前記遊技盤を視認可能とするために該遊技盤の前方に配置される請求項１から請求項４のうちいずれか１項に記載の透明板ユニットと、
前記遊技球を前記遊技領域に向けて発射する発射ユニットと、
前記遊技球を貯留する球皿と、を有する遊技機。
【発明の詳細な説明】
【技術分野】
【０００１】
本発明は、透明板ユニット及び接着用シール部材に関し、特にパチンコ機等の遊技機における球飛び安定性の確保と環境適性の向上を両立することのできる透明板ユニット等に関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
具体的には、外枠がパチンコ機全体の主に上下面及び左右側面を囲むように構成されている。この外枠は、一般に木材、樹脂又は金属等で形成された枠体であって、全体として略直方体形状を呈してその前後面部分が大きく開口して略筒状とされ、例えて言えば「四角筒」様形状とされている。
【０００４】
そして、その外枠の前方、すなわち、遊技者側には前枠が配置されている。この前枠は、遊技盤を保持するための枠体であって、外枠に対して開閉及び施錠可能に揺動軸支されている。更に、この前枠及び遊技盤はその裏面側に賞球払出装置、入賞球処理装置、遊技球の各種通路を含む裏セット盤を保持している。
【０００５】
前枠の更に前方にはガラス枠が配置されている。このガラス枠は遊技者に直接対向する位置に配置された枠体であって、一般に、中央近傍に遊技盤を視認可能とする前面開口が形成されてその前面開口部分にガラスを保持している。更にガラス枠はガラスの周囲に、遊技を演出するための造作物や色彩・模様が付されるとともに電飾用ランプや効果音発生用スピーカ等が設けられた装飾部材を保持している。
【０００６】
ガラスは、一般に保持枠に保持された状態でガラス枠に取り付けられる。従来、保持枠に対して、前後方向から２枚のガラスを接着してガラスユニットとするものがある。これによれば、ガラス周囲を保持枠に強固に接着するので、ガラスユニットの廃棄時やリサイクル時に両者を分解するのが難しく、分別廃棄やリサイクルが難しいという問題がある。
【０００７】
そこで、金属製のクリップを用いて保持枠を挟み込むことにより、ガラスと保持枠とを固定するという提案もされている（例えば、特許文献１を参照。）。これによれば、廃棄時等にはクリップを外すことにより容易にガラスと保持枠とを分解可能とされている。
【先行技術文献】
【特許文献】
【０００８】
【特許文献１】特開２００９−８９８６１号公報
【発明の概要】
【発明が解決しようとする課題】
【０００９】
しかしながら、上記特許文献１に開示のものによれば、金属製クリップによってガラスを固定するので、クリップの厚さ分がガラスから前後に突出してしまう。そのため、ガラス周囲（すなわち保持枠の近傍）において平面性が確保できない部分がどうしてもできてしまう。
【００１０】
このガラス周囲の部分は、発射ユニットによって発射された遊技球がレールによって遊技盤に導かれる経路の近傍に位置する。このガラス周囲にクリップによる突出部があると、発射された遊技球のいくつかはクリップに接触してしまう場合がある。そうすると、遊技球の発射速度や発射経路がバラついてしまい、安定した球飛びを実現することが難しくなってしまう。
【００１１】
本発明は上記の事情に鑑みて為されたもので、発射された遊技球の安定した球飛びを実現すると共に、廃棄時やリサイクル時の環境適性も向上させることのできる遊技機用の透明板ユニット及び接着用シール部材を提供することを例示的課題とする。
【課題を解決するための手段】
【００１２】
上記の課題を解決するために、本発明の例示的側面としての透明板ユニットは、遊技盤を視認可能とするために遊技機の前面開口に嵌め込まれる平板状の透明板と、その透明板を保持する保持枠を備えた保持部材とが接着用シール部材によって固定された透明板ユニットであって、接着用シール部材は、透明板に接着される透明板接着部と、保持枠に接着される保持枠接着部と、保持枠接着部に形成された位置決め部と、保持枠接着部に形成された切欠き部と、を有し、保持部材は、透明板の周囲を保持する保持枠と、保持枠内部に透明板を嵌入する中央開口と、位置決め部に対応して保持枠に形成された位置決め凸部と、切欠き部に対応して保持枠に形成された凹部と、を有し、凹部が切欠き部より大型形状とされることにより、接着用シール部材を保持枠に接着した際に切欠き部の一部が凹部内に突出して保持枠に接着されない非接着部を構成する。
【００１３】
本発明によれば、接着剤用シール部材が位置決め部を有し、保持部材が位置決め凸部を有している。そして、位置決め部と位置決め凸部とを対応させるように接着剤用シール部材を貼付することにより、定められた位置に少ないばらつきで精度よく接着剤用シール部材を貼付することができる。例えば、この位置決め部が位置決め孔であって、位置決め凸部が保持枠上に突設された位置決めボスであれば、位置決め孔に位置決めボスを挿入するように接着用シール部材を貼付することで簡単に高い接着位置精度を確保することができる。
【００１４】
また、接着用シール部材は切欠き部を有しており、保持枠には切欠き部に対応して凹部が形成されている。そして、その凹部が切欠き部より大型形状とされている。そして、接着用シール部材が保持枠に貼付されたとき、凹部の周縁から凹部内方向に切欠き部がはみ出し（突出し）て、その部分が保持枠に接着されない非接着部を構成する。例えば、凹部が大径のだ円形状であって、切欠き部がそれよりも小径の半だ円形状である場合、接着シール部材を凹部と切欠き部とが略同心となるように貼付した際に、凹部の周縁からだ円中心方向に切欠き部がはみ出して、その部分が保持枠に接着されない非接着部を構成する。
【００１５】
凹部に手指を侵入させてこの非接着部をつまむことにより、接着用シール部材を保持枠から容易に剥離することができる。したがって、例えば廃棄時やリサイクル（再利用）時に、保持部材と透明板とを簡単に分離することができる。
【００１６】
なお、ここで透明板は、遊技盤を視認可能とするための透明部材であって、典型的にはガラス板が適用できるが、透明樹脂板であってもよい。また、保持枠には透明板を嵌入して周囲を保持するために、その内周面側に透明板を当接させる段付き部が設けられていてもよい。その段付き部の段付き高さ寸法が透明板の厚さ寸法と略同寸法とされていれば、透明板を保持した際に、保持枠の前後面（外周面と内周面との間の面）と透明板の平板面とを実質的に面一とすることができる。しかも、厚さの薄いシール部材によって透明板と保持部材とを接着するので、透明板の周囲において、高い平面性を確保することができ、突出部分をなくすことができる。その結果、発射された遊技球の球飛びの安定性に寄与することができる。
【００１７】
保持枠の前後から保持枠を挟み込むように２つの透明板が嵌入され、２つの透明板と１つの保持枠とが１対の接着用シール部材により各々固定され、かつ、１対の接着用シール部材の各切欠き部が、凹部近傍において各々保持枠に接着されない非接着部を構成してもよい。
【００１８】
この構成は、前後から保持枠を挟み込むように２つの透明板が嵌入される、いわゆるペアガラスタイプのユニットに本発明を適用したものである。２つの透明板の各々が１枚ずつの接着用シール部材によって保持部材に固定される構成であるので、保持部材に対して透明板を１つずつ固定することができる。保持部材に対して２つの透明板を一度に固定する必要がないので、透明板ユニットの組立て作業が確実なものとなり、作業ミスを防止することができる。
【００１９】
そして、２枚の接着シール部材の切欠き部は各々凹部近傍に位置するように貼付される。つまり、２つの切欠き部が実質的に凹部の周縁を囲むように凹部内へと突出して非接着部を構成する。この非接着部を手指でつまむことにより、各透明板を容易に保持部材から分離することができる。なお、透明板ユニット又はそれが適用される遊技機において、前方向は透明板ユニットが遊技機に取り付けられた状態において遊技盤から遊技者に向かう方向であり、後方向はその逆方向であって、いずれも透明板における平板面の法線方向である。
【００２０】
凹部内に、保持枠を外周面側から内周面側に貫通する貫通孔が形成されていてもよい。前後方向から２つの透明板が保持部材を挟み込むペアガラスタイプの透明板ユニットにおいては、２つの透明板間の内部空間は略密閉状態となっており、気温や湿度の影響によってその内部空間に結露（曇り）が発生する場合がある。しかしながら、保持枠を外周面側から内周面側に貫通する貫通孔が形成されていれば、その貫通孔が通気孔として機能して内部空間における結露を軽減することができる。なお、その貫通孔を凹部内に形成することにより、貫通孔を殆ど目立たなくすることができる、凹部によって薄肉となった箇所に貫通孔を形成することができる、等のメリットを得ることができる。
【００２１】
保持枠に、保持枠接着部に対応するザグリ面が形成され、かつ、そのザグリ面のザグリ深さ寸法が、接着用シール部材の厚さ寸法及び位置決め凸部の突出高さ寸法のうちいずれか大きい方の寸法以上とされていてもよい。
【００２２】
保持枠に、保持枠接着部に対応するザグリ面が形成されることにより、接着用シール部材の厚さや位置決め凸部の突出高さが保持枠から突出する寸法を低減することができる。特に、接着用シール部材の厚さ及び位置決め凸部の突出高さのうちいずれか大きい方よりもザグリ深さを大きくすることにより、保持枠から接着用シール部材も位置決め凸部も突出しないようにすることができる。なお、ザグリ面の外形形状が、接着用シール部材の外形形状に沿った形状であれば、接着用シール部材を貼付する際の位置決めが更に容易となる。
【００２３】
本発明の他の例示的側面としての遊技機は、遊技球の流下による遊技を実現する遊技領域が設けられた遊技盤と、遊技盤を内包するように保持する遊技機枠と、遊技盤を視認可能とするために遊技盤の前方に配置される上記の透明板ユニットと、遊技球を遊技領域に向けて発射する発射ユニットと、遊技球を貯留する球皿と、を有する。
【００２４】
本発明によれば、遊技機が上記の透明板ユニットを有しているので、位置決め部と位置決め凸部とを対応させるように接着剤用シール部材を貼付することにより、接着用シール部材を保持部材の定められた位置に少ないばらつきで精度よく貼付することができる。例えば、この位置決め部が位置決め穴であって、位置決め凸部が保持枠上に突設された位置決めボスであれば、位置決め穴に位置決めボスを挿入するように接着用シール部材を貼付することで簡単に高い接着位置精度を確保することができる。
【００２５】
また、接着用シール部材は切欠き部を有しており、保持枠には切欠き部に対応して凹部が形成されている。そして、その凹部が切欠き部より大型形状とされている。そして、接着用シール部材が保持枠に貼付されたとき、凹部の周縁から凹部内方向に切欠き部がはみ出し（突出し）て、その部分が保持枠に接着されない非接着部を構成する。例えば、凹部が大径のだ円形状であって、切欠き部がそれよりも小径の半だ円形状である場合、接着シール部材を凹部と切欠き部とが略同心となるように貼付した際に、凹部の周縁からだ円中心方向に切欠き部がはみ出して、その部分が保持枠に接着されない非接着部を構成する。
【００２６】
凹部に手指を侵入させてこの非接着部をつまむことにより、接着用シール部材を保持枠から容易に剥離することができる。したがって、例えば廃棄時やリサイクル（再利用）時に、保持部材と透明板とを簡単に分離することができる。
【００２７】
本発明の更なる目的又はその他の特徴は、以下添付図面を参照して説明される好ましい実施の形態によって明らかにされるであろう。
【発明の効果】
【００２８】
本発明によれば、遊技機における透明板周囲における平面性を確保することにより、発射された遊技球の安定した球飛びを実現すると共に、透明板とその保持部材との分離を容易として透明板ユニットの廃棄時やリサイクル時の環境適性を向上させることができる。加えて、保持部材に透明板を固定する際の接着用シール部材の貼付位置精度を向上させることもできる。透明板ユニットをペアガラスタイプとして構成した際の、組立て性も向上させることができる。
【図面の簡単な説明】
【００２９】
【図１】本発明の実施の形態に係るパチンコ機の正面図である。
【図２】図１に示すパチンコ機の背面図である。
【図３】図１に示すパチンコ機のガラス枠を裏面側から見た裏面図である。
【図４】図３に示すガラスユニットの外観斜視図である。
【図５】図３に示すガラスユニットのシール近傍における断面図である。
【図６】図３に示すガラスユニットにおける保持部材、ガラス、シールを分解して示す拡大分解図である。
【図７】図６に示す保持枠のシール接着部近傍を拡大して示す部分拡大図である。
【図８】図６に示すシールを接着面側から見た展開正面図である。
【図９】本発明の変形例に係るシール接着部近傍を拡大して示す部分拡大図である。
【発明を実施するための形態】
【００３０】
以下、本発明の実施の形態について図面を用いて説明する。図１は、本発明の実施の形態に係るガラスユニット（透明板ユニット）を備えるパチンコ機２の正面図である。また、図２は、このパチンコ機２の背面図である。このパチンコ機２は、遊技機枠３、遊技盤ユニット５、ガラスユニット１１、発射ユニット（不図示）、球皿１４を有している。発射ユニットは、遊技球２３を遊技盤ユニット５に構成される遊技領域１６に向けて１個ずつ発射可能である。
【００３１】
パチンコ機２は、後述する発射装置ハンドル１５を遊技者が操作することによって、遊技領域１６に向けて遊技球２３が発射ユニットによって発射されることで、遊技球２３の流下による遊技を実現する。なお、遊技機は、パチンコ機２の他にコインゲーム機等のアーケードマシン、各種ゲーム機を概念することができ、要するに、遊技媒体の流下による遊技を実現する遊技領域を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００３２】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００３３】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラスユニット１１及びその周囲を装飾する装飾部材３２を保持するガラス枠１２、を有して遊技機枠３が構成される。なお、ガラスユニット１１についての詳細は後述する。遊技機枠ユニットは、遊技盤ユニット５を保持する前枠９と、後述する賞球払出ユニット１００と、によって構成されている。
【００３４】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００３５】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００３６】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００３７】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００３８】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００３９】
センター役物７は、演出表示装置７ａの周囲を覆うように構成されており、図柄変動遊技（１種遊技）を実現するものである。センター役物７の上部には、図柄表示手段としての第１図柄（特別図柄)表示装置１７が配置されると共に、センター役物７の中央部には、演出表示装置７ａが配置されている。
【００４０】
第１図柄表示装置１７には、抽選手段の抽選結果である第１図柄１７ａの変動が表示される。第１図柄１７ａは、始動入賞口２９への遊技球２３の入球を契機として実行される抽選の結果に対応した図柄である。第１図柄１７ａの変動表示が所定の当選態様で停止することにより第１特別遊技としての大当りが発生する。
【００４１】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄１７ａに連動する表示図柄（第１装飾図柄）７ｃの表示がなされる。表示図柄７ｃは、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００４２】
遊技盤６の裏面側には、パチンコ機２の全体の制御を行う主制御手段（主制御基板、図示せず）を収容した主制御基板ケース３５と、演出表示装置７ａの画像表示等の演出制御を行う演出制御手段（演出制御基板、図示せず）を収容した演出制御基板ケース３６と、遊技球２３の入賞に応じて賞球の払出しを行う賞球払出ユニットの動作制御を行う払出制御手段（払出制御基板、図示せず）を収容した払出制御基板ケース３７と、電源手段（図示せず）を収容した電源基板ケース３８と、が配置されている。この各制御基板ケースに収容された各制御手段によって遊技が実現される。主制御基板ケース３５と演出制御基板ケース３６とは、遊技盤ユニット５の後面に装着されており、遊技盤ユニット５と共に前枠９に対して着脱自在に構成されている。
【００４３】
更に、遊技盤６の裏面側には、パチンコ機２の遊技状態等の遊技情報を外部に出力するための外部出力端子板３９が設けられている。また、パチンコ機２の背面側には、演出制御基板ケース３６及び賞球払出ユニット１００の一部を覆うカバー部材４２が設けられている。
【００４４】
また、図２に示すように、パチンコ機２の背面には、パチンコ機２が設置されるホール（遊技機設置店）の設備から供給された遊技球２３を一時的に貯留するための遊技球貯留装置としての球貯留タンク４０と、球貯留タンク４０からの遊技球２３が流入し、この遊技球２３を１球ずつ通過させる賞球払出ユニット１００と、賞球払出ユニット１００を通過した遊技球２３を球皿１４に向かって導く賞球供給通路４１と、を備えている。
【００４５】
賞球払出ユニット１００は、払出制御手段によって駆動制御されるように構成されており、各種入賞口への遊技球２３の入球や、遊技者からの遊技球２３の貸出し要求に応じて、遊技者に遊技球２３を供給するように構成されている。
【００４６】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定賞球数の払出しの契機となり、あるものはいずれの入球装置にも流入せずに遊技領域１６内最下部に位置するアウト口３０に流入してアウト球としてパチンコ機２の外部側へと排出される。
【００４７】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００４８】
図３は、このパチンコ機２のガラス枠１２を裏面側から（遊技盤６から遊技者に向けて）見た裏面図である。ガラス枠１２の裏面には、ガラスユニット１１が保持されている。ガラスユニット１１は、ガラス（透明板）１０、保持部材８、シール（接着用シール部材）１３を有して大略構成されている。ガラス枠１２には、遊技者から遊技盤６を視認可能とするための前面開口１２ａが形成され、その前面開口１２ａにガラス１０が位置するようにガラスユニット１１が保持されている。
【００４９】
ガラス１０は、遊技盤６に対して一定距離以上離間して配置された透明板である。ガラス１０は、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００５０】
本実施の形態においては、ペアガラスタイプのガラスユニット１１が採用されており、２枚のガラス１０が前後方向から保持部材８を挟み込んで保持部材８に保持されている。図４は、このガラスユニット１１の外観斜視図、図５は、ガラスユニット１１のシール１３近傍における断面図、図６は、ガラスユニット１１における保持部材８、ガラス１０、シール１３を分解して示す拡大分解図、図７は、保持枠８ａのシール１３接着部近傍を拡大して示す部分拡大図、図８は、シール１３を接着面１３ａ側から見た展開正面図である。
【００５１】
ガラス１０は、平板状の透明部材であって、図に示すように、大略長方形と半円とが接合された形状をしている。保持部材８は、保持枠８ａを有して大略構成され、その保持枠８ａが囲んで形成される中央開口８ｂにガラス１０を嵌入するように構成される。したがって、保持枠８ａの内周形状は、ガラス１０の外周形状と略一致している。
【００５２】
保持枠８ａの断面形状は、図５に示すように段付き部８ｃを有しており、この段付き部８ｃ上にガラス１０の表面を当接させることによりガラス１０を保持するようになっている。段付き部８ｃの段付き高さは、ガラス１０の厚さと略一致している。そのため、保持枠８ａがガラス１０を保持した際に、保持枠８ａの前後面８ｄとガラス１０の平板面（表面）とを略面一とすることができる。
【００５３】
ガラス１０と保持枠８ａとはシール１３によって接着固定されている。シール１３による接着箇所は、ガラス１０の周囲において例えば３箇所、５箇所等、適宜複数設置される。以下説明においては、そのうちの１箇所について説明するが、他のシール接着箇所の構成についても略同様である。
【００５４】
このシール１３は、片面が接着面１３ａとされている。シール１３はその折れ部（図８中一点鎖線で示す部分）１３ｂを境界として、一方側がガラス１０と接着されるガラス接着部（透明板接着部）１３ｃ、他方側が保持枠８ａと接着される保持枠接着部１３ｄとなる。シール１３の基材材質としては、例えば樹脂材料を適用することができ、透明性が必要な場合はＰＥＴ（ポリエチレンテレフタレート）やＰＭＭＡ（アクリル樹脂）等が選択される。もちろん透明性が必要でない場合には、他の樹脂材料やアルミニウムテープ、ステンレステープ等の金属材料も適用可能である。
【００５５】
保持枠接着部１３ｄには、複数の位置決め孔（位置決め部）１３ｅが形成されている。この位置決め孔１３ｅは、シール１３を保持枠８ａに接着する際にシール１３の位置決めを高精度に行うためのものである。この位置決め孔１３ｅに後述する位置決めボス（位置決め凸部）８ｅを挿入しつつシール１３を接着することにより、シール１３の貼付位置のバラつきを低減することができる。
【００５６】
保持枠接着部１３ｄは、更にその周縁１３ｆに切欠き部１３ｇが形成されている。この切欠き部１３ｇは略半だ円形状に切り欠かれた部分であって、シール１３の剥離を容易とするための部分である。切欠き部１３ｇは後述する指穴（凹部）８ｆの近傍に略その中心Ｏを一致させて貼付される部分である。なお、位置決め孔１３ｅに位置決めボス８ｅを挿入してシール１３を保持枠８ａに貼付すれば、自然に切欠き部１３ｇと指穴８ｆとが略同心状となるように構成されている。
【００５７】
ここで、指穴８ｆの径は、切欠き部１３ｇの径よりも大きく形成されているので、切欠き部１３ｇの先端近傍は、指穴８ｆの周縁よりも内側に入り込んで保持枠８ａと接着されない非接着部１３ｈを構成する（図５参照、図８の斜線部参照）。したがって、この非接着部１３ｈは、シール１３が保持枠８ａに貼付された状態でも、どこにも接着されずに浮いた状態となる。作業者が、指穴８ｆに手指Ｍを挿入してこの非接着部１３ｈを容易につまむことができ、引っ張ればシール１３を保持枠８ａから容易に剥離することができる（図５（ｂ）参照）。シール１３の接着面１３ａ側には接着剤が塗布されているが、この非接着部１３ｈの接着面１３ａ側は、接着剤が塗布されていなくてもよい。
【００５８】
シール１３のガラス接着部１３ｃをガラス１０の表面に接着し、位置決め孔１３ｅに位置決めボス８ｅを挿入しつつ保持枠接着部１３ｄを保持枠８ａに接着することにより、保持枠８ａとガラス１０との固定がされる。ここで、１枚のシール１３に対し１枚のガラス１０が保持枠８ａに接着固定される。前後２枚のガラス１０を同時でなく、１枚ずつ保持枠８ａに接着することができるので、ガラスユニット１１の組立て作業が確実かつ簡易なものとなり、作業ミスを防止することができる。
【００５９】
保持枠８ａは、上述したように、２枚のガラス１０を前後に保持するためのものである。保持枠８ａの外周面８ｇ側には、位置決め孔１３ｅに対応するように位置決めボス８ｅが突出形成されている。位置決めボス８ｅの形状は種々の形状を適用することができるが、一般的には円柱形状である。また、対応する位置決め孔１３ｅの形状は、円孔か長孔であることが多い。
【００６０】
保持枠８ａの外周面８ｇには、切欠き部１３ｇに対応するように指穴８ｆが形成されている。この指穴８ｆは、作業者が手指Ｍを挿入して非接着部１３ｈをつまむための凹部であるので、少なくとも一般的な人間の指の先端が挿入できる程度の大きさであることが望ましい。しかしながら、指穴８ｆを大きく形成することが困難である場合は、ピンセット等の工具によって非接着部１３ｈをつまむことを想定することができる。その場合、指の先端は挿入ができないが、工具先端が挿入できる程度に指穴８ｆを小さくすることも可能である。
【００６１】
指穴８ｆは外形がだ円形状とされた穴であり、その内部に外周面８ｇから内周面８ｈに貫通する通気孔（貫通孔）８ｊが形成されている。これにより、２枚のガラス１０間及び保持枠８ａによって密閉に近い状態とされた内部空間とその外部との通気を行うことができ、内部空間におけるガラス１０の曇りを防止することができる。
【００６２】
もちろん、保持枠８ａと２枚のガラス１０とは、シール１３によって接着されているものの、その周囲全体にわたって接着剤が充填されているのではなく、内部空間は完全に密閉されていない。したがって、保持枠８ａとガラス１０周囲との間で通気が行われ、内部空間におけるガラス１０の曇りの発生がない場合は、通気孔８ｊを別途形成する必要はない。
【００６３】
保持枠８ａの外周面８ｇには、シール１３の保持枠接着部１３ｄの形状に対応してザグリ面８ｍが形成されている。ザグリ面８ｍのザグリ深さ寸法Ｄと位置決めボス８ｅのボス高さ（突出高さ）寸法Ｈとの関係は、Ｄ≧Ｈとなっている。ザグリ深さを位置決めボス８ｅの高さ以上とすることにより、位置決めボス８ｅの先端が保持枠８ａのザグリ面８ｍ以外の外周面８ｇから突出するのを防止することができる。
【００６４】
また、ザグリ面８ｍのザグリ深さ寸法Ｄとシール１３の厚さ寸法Ｗとの関係は、Ｄ≧Ｗとなっている。ザグリ深さをシール厚さ以上とすることにより、保持枠８ａに貼付したシール１３がその厚さによってザグリ面８ｍ以外の外周面８ｇから突出するのを防止することができる。
【００６５】
以上、本発明の好ましい実施の形態を説明したが、本発明はこれらに限定されるものではなく、その要旨の範囲内で様々な変形や変更が可能である。
【００６６】
例えば、上記の実施の形態においては、指穴８ｆがだ円形状であって、切欠き部１３ｇが半だ円形状である場合について説明しているが、これらの形状も説明した例に限られる必要がない。不要な応力集中を避けてシール１３の破損を防止できる点やだ円形の方が手指Ｍの挿入が容易であるという点から上記の形状例が好ましいとして説明したが、もちろん必要に応じて指穴８ｆを円形状、四角形状、ひし形等様々な形状とすることができる。また、切欠き部１３ｇもそれに対応して半円形状、四角形状、三角形状（Ｖ字形状）等様々な形状とすることができる。
【００６７】
［変形例］
図９は、本発明の変形例に係るガラスユニットのシール接着部近傍を拡大して示す部分拡大図である。この変形例においても、２枚のガラス１０が保持枠１０８ａを前後方向から挟み込むようにシール１１３によって接着固定されている。しかしながら、この変形例においては、１枚のシール１１３が２枚のガラス１０を保持枠８ａに固定している。
【００６８】
保持枠１０８ａは、上記実施の形態と同様にシール１１３の外形形状に対応するように形成されたザグリ面１０８ｍを有しており、そのザグリ面１０８ｍ内には上記実施の形態と同様に位置決めボス１０８ｅが突出形成されている。そして、ザグリ面１０８ｍ内には、保持枠１０８ａの前後方向の略中央を上下に延びる溝部１０８ｎが形成されている。この溝部１０８ｎは、ザグリ面１０８ｍよりも深く彫られており、後述するようにシール１１３を切断する際にカッター等の切断工具の先端が入り込み易いように構成されている。
【００６９】
シール１１３は、展開した状態では、略長方形状をしているが、保持枠１０８ａ及びガラス１０に貼付した際に上方から見て略コ字状に折れ曲がるようになっている。したがって、２箇所の折れ部１１３ｂが形成されるが、その２箇所の折れ部１１３ｂに挟まれた領域が保持枠接着部１１３ｄとして機能し、それ以外の領域がガラス接着部１１３ｃとして機能するようになっている。また、保持枠接着部１１３ｄの外形形状とザグリ面１０８ｍの外形形状（主として、両者の上下方向寸法）が略一致している。
【００７０】
シール１１３は、上記実施の形態と同様に、保持枠接着部１１３ｂに位置決め孔１１３ｅを有している。更にシール１１３には、その図９中前後方向における略中央部であって、貼付された際に溝部１０８ｎに対応する位置に、複数の切断用孔部１１３ｊがミシン目状に形成されている。また、２箇所の折れ部１１３ｂ上に１つ又は複数の補助孔１１３ｋが形成されている。
【００７１】
保持枠１０８ａに対して前後から２枚のガラス１０を挟み込むように位置させ、その状態で位置決めボス１０８ｅを位置決め孔１１３ｅに挿入させつつ１枚のシール１１３を前方のガラス１０、保持枠１０８ａ、後方のガラス１０に跨るように貼付する。折れ部１１３ｂ上に補助孔１１３ｋが形成されていることにより、折れ部１１３ｂに沿ってシール１１３を直角に（すなわち、コ字状に）正確かつ容易に折り曲げることができる。したがって、位置決め孔１１３ｅと位置決めボス１０８ｅによる正確な位置決め、ザグリ面１０８ｍ形状とシール１１３外形形状との対応による正確な位置決め、及び折れ部１１３ｂ上での補助孔１１３ｋの存在による正確な折れ曲がり、によってシール１１３をきれいに正確な位置に貼付することができる。
【００７２】
また、保持枠８ａとガラス１０との分離の際には、切断用孔部１１３ｊに沿ってカッター等の切断工具を用いてシール１１３を容易に切断することができる。保持枠１０８ａに溝部１０８ｎが形成されていることにより、切断工具の刃がしっかりとシール１１３に食い込むようになっている。
【００７３】
なお、この変形例においては、ガラス接着部１１３ｃがガラス１０に接着し、保持枠接着部１１３ｄが保持枠１０８ａに接着する構成について説明しているが、シール１１３の保持枠接着部１１３ｄに相当する部分が接着機能を有しておらず、ガラス接着部１１３ｃのみが接着機能を有していてもよい。シール１１３は２枚のガラス１０に接着されるが、保持枠１０８ａには接着されない状態で、ガラス１０を保持枠１０８ａに固定することができる。この場合、切断用孔部１１３ｊに沿ってシール１１３を切断するだけで、２枚のガラス１０は保持枠１０８ａから自然と分離する。
【符号の説明】
【００７４】
Ｄ：ザグリ深さ寸法
Ｈ：ボス高さ寸法（突出高さ寸法）
Ｍ：手指
Ｏ：中心
Ｗ：厚さ寸法
２：パチンコ機(遊技機)
３：遊技機枠
４：外枠
５：遊技盤ユニット
６：遊技盤
６ａ：遊技盤面
７：センター役物
７ａ：演出表示装置
７ｂ：表示部
７ｃ：表示図柄（第１装飾図柄）
７ｄ：表示開口部
８：保持部材
８ａ，１０８ａ：保持枠
８ｂ：中央開口
８ｃ：段付き部
８ｄ：前後面
８ｅ，１０８ｅ：位置決めボス（位置決め凸部）
８ｆ：指穴（凹部）
８ｇ：外周面
８ｈ：内周面
８ｊ：通気孔（貫通孔）
８ｍ，１０８ｍ：ザグリ面
１０８ｎ：溝部
９：前枠
１０：ガラス（透明板）
１１：ガラスユニット（透明板ユニット）
１２：ガラス枠
１２ａ：前面開口
１３，１１３：シール（接着用シール部材）
１３ａ：接着面
１３ｂ，１１３ｂ：折れ部
１３ｃ，１１３ｃ：ガラス接着部（透明板接着部）
１３ｄ，１１３ｄ：保持枠接着部
１３ｅ，１１３ｅ：位置決め孔（位置決め部）
１３ｆ:周縁
１３ｇ：切欠き部
１３ｈ：非接着部
１１３ｊ：切断用孔部
１１３ｋ：補助孔
１４：球皿
１４ａ：上球皿
１４ｂ：下球皿
１４ｃ：球抜き部材
１５：発射装置ハンドル
１６：遊技領域
１７：第１図柄（特別図柄)表示装置
１７ａ：第１図柄
２２：ヒンジ
２３：遊技球
２６：レール飾り
２６ａ：外レール
２７：遊技釘
２８：普通入賞口
２９：始動入賞口
３０：アウト口
３１：大入賞口
３２：装飾部材
３３：ゲート
３４：風車
３５：主制御基板ケース
３６：演出制御基板ケース
３７：払出制御基板ケース
３８：電源基板ケース
３９：外部出力端子板
４０：球貯留タンク
４１：賞球供給通路
４２：カバー部材
１００：賞球払出ユニット
【図１】
2011182838.tif 000003
【図２】
2011182838.tif 000004
【図３】
2011182838.tif 000005
【図４】
2011182838.tif 000006
【図５】
2011182838.tif 000007
【図６】
2011182838.tif 000008
【図７】
2011182838.tif 000009
【図８】
2011182838.tif 000010
【図９】
2011182838.tif 000011